(57)【要約】【課題】  インターネット等のネットワークを介してブライダル情報に関するサービスを行うものであって、結婚式場を運営する業者等がその顧客に対して提供するサービスのみならず、ＩＴ企業等が結婚式場を運営する業者等に対して提供するサービスを含み、また情報管理に関する機密性に優れたブライダル情報サービスシステムの提供。【解決手段】  管理者１によって提供され、管理者１が契約者２によるアクセスを可能とし、契約者２が利用者３によるアクセスを可能とするブライダル情報サービスシステムであって、契約者２がアクセスして利用者３が公開するブライダル情報にアクセスするための利用者認証情報を発行させ、利用者認証情報を発行した認証発行情報を記録し、管理者１が認証発行情報を閲覧することを可能とするブライダル情報サービスシステム。【選択図】        図２
2006236276.tif 000002
【特許請求の範囲】
【請求項１】
ネットワーク上に公開するブライダル情報を記録するブライダル情報記録手段を有するサーバを備え、ネットワークに接続した端末に前記ブライダル情報を送信するブライダル情報サービスシステムであって、
前記サーバは、
このブライダル情報サービスシステムの管理者によって発行された複数の第１の認証情報を記録する第１の認証情報記録手段と、
ネットワークを介して第１の認証情報を送信してきた端末からの操作に応じて、この第１の認証情報と関連付けられて発行された第２の認証情報を記録する第２の認証情報記録手段とを有し、
ネットワークを介して第２の認証情報を送信してきた端末からの操作に応じて、前記ブライダル情報を前記ブライダル情報記録手段に記録するブライダル情報サービスシステム。
【請求項２】
請求項１記載のブライダル情報サービスシステムにおいて、第１の認証情報に関連付けられて発行された第２の認証情報を第２の認証情報記録手段から取り出して、前記第１の認証情報ごとに課金する情報を生成する課金情報生成手段を有することを特徴とするブライダル情報サービスシステム。
【請求項３】
請求項１または２記載のブライダル情報サービスシステムにおいて、第１の認証情報に関連付けられた期限を記録する期限記録手段と、前記期限に基づいて、この期限に関連付けられた第１の認証情報およびこの第２の認証情報に関連付けられた第２の認証情報を無効とする認証情報無効手段とを有することを特徴とするブライダル情報サービスシステム。
【請求項４】
請求項１ないし３の何れか１つに記載のブライダル情報サービスシステムにおいて、ネットワークを介して第２の認証情報を送信してきた端末からの操作に応じて、この第２の認証情報と関連付けられて発行された第３の認証情報を記録する第３の認証情報記録手段を有し、ネットワークを介して第３の認証情報を送信してきた端末からの操作に応じてこの端末に前記ブライダル情報を送信することを特徴とするブライダル情報サービスシステム。
【請求項５】
請求項１ないし４の何れか１つに記載のブライダル情報サービスシステムにおいて、ネットワークを介して第２の認証情報を送信してきた端末からの操作に応じて前記ブライダル情報記録手段に記録される前記ブライダル情報に写真データを含むことを特徴とするブライダル情報サービスシステム。
【請求項６】
請求項１ないし５の何れか１つに記載のブライダル情報サービスシステムにおいて、第２の認証情報に関連付けられたメールアドレスを記録するメールアドレス記録手段と、前記メールアドレスに送信される所定の情報を記録する送信情報記録手段と、ネットワークを介して第２の認証情報を送信してきた端末からの操作に応じて、この端末から送信された所定時期をこの第２の認証情報に関連付けて記録する時期記録手段と、前記所定時期に基づいて前記所定の情報を前記メールアドレスに送信するメール送信手段とを有することを特徴とするブライダル情報サービスシステム。
【発明の詳細な説明】
【技術分野】
【０００１】
本発明は、インターネット等のネットワークを介してブライダル情報に関するサービスを行うブライダル情報サービスシステムに関する。
【背景技術】
【０００２】
インターネット等のネットワークの普及に伴い、たとえば、結婚する二人の紹介、結婚式の模様の紹介等によって構成される、結婚に関する情報すなわちブライダル情報をネットワーク上に公開することが一般的になってきている。このような状況のもとにおいて、ホテル等、結婚式場を運営する業者がブライダル情報をインターネット上に公開するサービスを行うようになってきており、〔特許文献１〕、〔特許文献２〕等において開示されているように、かかるサービスに関する技術が種々提案されている。〔特許文献１〕、〔特許文献２〕に記載の技術は、主に、結婚式場を運営する業者が主催するホームページ上において提供するサービスに関するものである。
【０００３】
一方、近年においては、ＩＴ企業などが、サービス業の種々の分野において実際にサービスを行う業者に対して、ネットワーク等に関するサービスを提供するようになってきている。すなわち、ＩＴ企業などが、ネットワーク等に関する優れた技術、ノウハウを駆使して、かかる業者の、その顧客へのネットワークに関するサービスの業務を代行するようになってきている。たとえば、かかる業者のネットワークの構築、不特定多数の潜在的顧客をターゲットとしたホームページの作成、運営、保守等の作業の代行等である。
【０００４】
これによって、かかる業者は、それらの作業の負担から開放され、業務の効率化を図ることができるうえ、顧客に対して魅力的なホームページを提供することができ、顧客の獲得を拡大できるなど、種々の利点がある。
また特に、近年においては個人情報等の情報の漏洩防止が顧客の信頼を獲得し維持向上するうえで重要な課題となっており、ネットワーク上の情報保護に関する技術を有するＩＴ企業などがかかる情報の管理を行うことは、かかる業者にとって、きわめて有益である。
【０００５】
【特許文献１】特開２００１−３０６７２４号公報
【特許文献２】特開２００１−２２２５９８号公報
【発明の開示】
【発明が解決しようとする課題】
【０００６】
しかしながら、ブライダル情報の提供に関しては、たとえば〔特許文献１〕、〔特許文献２〕に記載されているように、結婚式場を運営する業者が提供するサービスに関する技術が提案されているのみであり、ＩＴ企業などがかかる業者に対して行う上述したようなサービスに関する技術は未だ提案されていない。これは、結婚式場を運営する業者が、結婚という、顧客にとって非常に個人的なイベントを取り扱うため、かかる業者が顧客の直接の窓口となる必要があるという、業界における特殊な事情によるところも大きい。なお、〔特許文献１〕には、インターネットサービス業者が、結婚式場を運営する業者によって提供されるサービスを請け負うことが可能である旨が記載されているが、これは結婚式場を運営する業者が行うサービスをそのままインターネットサービス業者が請け負い、結婚式場を運営する業者がその顧客に対して実体的なサービスを行うことなく、インターネットサービス業者がかかる顧客に対して実体的なサービスを提供することを示唆しているにすぎず、インターネットサービス業者が結婚式場を運営する業者に対して行うサービスを開示したものではない。そのため、結婚サービスに関する業界の事情を十分に反映したものとなっているとは言えない。
【０００７】
また、ＩＴ企業などが通常のサービス業者に代行して提供するホームページは、不特定多数の潜在的顧客をターゲットとしたものであることが多いが、結婚式場を運営する業者等のように特定された顧客を対象とする業者に代行してホームページを提供する場合には、その顧客の個人情報等の情報を極めて厳密に管理する必要があり、このことは、ＩＴ企業などが結婚式場を運営する業者に対してサービスを提供する場合にも同様である。特に、結婚式場を運営する業者は、結婚という非常に個人的なイベントを取り扱うため、顧客等に関する種々多様な個人情報を顧客等から提供されることが一般的であるため、そのような情報の厳密な管理は顧客の信頼を獲得し、また維持向上するうえで極めて重要である。そして、かかる管理を行っていることは結婚式場を運営する業者にとって顧客を獲得するうえでの極めて大きなセールスポイントとなり、さらには、かかる管理を可能とすることは、ＩＴ企業にとっても顧客を獲得するうえでの極めて大きなセールスポイントとなる。
【０００８】
本発明は、インターネット等のネットワークを介してブライダル情報に関するサービスを行うブライダル情報サービスシステムであって、結婚式場を運営する業者等がその顧客に対して提供するサービスのみならず、ＩＴ企業等が結婚式場を運営する業者等に対して提供するサービスを含み、また情報管理に関する機密性に優れたブライダル情報サービスシステムの提供を目的とする。
【課題を解決するための手段】
【０００９】
上記目的を達成するため、請求項１記載の発明は、ネットワーク上に公開するブライダル情報を記録するブライダル情報記録手段を有するサーバを備え、ネットワークに接続した端末に前記ブライダル情報を送信するブライダル情報サービスシステムであって、前記サーバは、このブライダル情報サービスシステムの管理者によって発行された複数の第１の認証情報を記録する第１の認証情報記録手段と、ネットワークを介して第１の認証情報を送信してきた端末からの操作に応じて、この第１の認証情報と関連付けられて発行された第２の認証情報を記録する第２の認証情報記録手段とを有し、ネットワークを介して第２の認証情報を送信してきた端末からの操作に応じて、前記ブライダル情報を前記ブライダル情報記録手段に記録するブライダル情報サービスシステムにある。
【００１０】
請求項２記載の発明は、請求項１記載のブライダル情報サービスシステムにおいて、第１の認証情報に関連付けられて発行された第２の認証情報を第２の認証情報記録手段から取り出して、前記第１の認証情報ごとに課金する情報を生成する課金情報生成手段を有することを特徴とする。
【００１１】
請求項３記載の発明は、請求項１または２記載のブライダル情報サービスシステムにおいて、第１の認証情報に関連付けられた期限を記録する期限記録手段と、前記期限に基づいて、この期限に関連付けられた第１の認証情報およびこの第２の認証情報に関連付けられた第２の認証情報を無効とする認証情報無効手段とを有することを特徴とする。
【００１２】
請求項４記載の発明は、請求項１ないし３の何れか１つに記載のブライダル情報サービスシステムにおいて、ネットワークを介して第２の認証情報を送信してきた端末からの操作に応じて、この第２の認証情報と関連付けられて発行された第３の認証情報を記録する第３の認証情報記録手段を有し、ネットワークを介して第３の認証情報を送信してきた端末からの操作に応じてこの端末に前記ブライダル情報を送信することを特徴とする。
【００１３】
請求項５記載の発明は、請求項１ないし４の何れか１つに記載のブライダル情報サービスシステムにおいて、ネットワークを介して第２の認証情報を送信してきた端末からの操作に応じて前記ブライダル情報記録手段に記録される前記ブライダル情報に写真データを含むことを特徴とする。
【００１４】
請求項６記載の発明は、請求項１ないし５の何れか１つに記載のブライダル情報サービスシステムにおいて、第２の認証情報に関連付けられたメールアドレスを記録するメールアドレス記録手段と、前記メールアドレスに送信される所定の情報を記録する送信情報記録手段と、ネットワークを介して第２の認証情報を送信してきた端末からの操作に応じて、この端末から送信された所定時期をこの第２の認証情報に関連付けて記録する時期記録手段と、前記所定時期に基づいて前記所定の情報を前記メールアドレスに送信するメール送信手段とを有することを特徴とする。
【発明の効果】
【００１５】
本発明によれば、結婚サービスに関する業界の事情を十分に反映し、インターネット等のネットワークを介してブライダル情報に関するサービスを行う、ブライダル情報に特化してサービスシステムであって、結婚式場を運営する業者等がその顧客に対して提供するサービスに関するシステムのみならず、ＩＴ企業等が結婚式場を運営する業者等に対して提供するサービスに関するシステムを含み、また情報管理に関する機密性に優れたブライダル情報サービスシステムを提供することができる。
【発明を実施するための最良の形態】
【００１６】
本発明にかかるブライダル情報サービスシステムは、ネットワーク上に公開するブライダル情報を記録するブライダル情報記録手段を有するサーバを備え、ネットワークに接続した端末に前記ブライダル情報を送信するブライダル情報サービスシステムであって、前記サーバは、このブライダル情報サービスシステムの管理者によって発行された複数の第１の認証情報を記録する第１の認証情報記録手段と、ネットワークを介して第１の認証情報を送信してきた端末からの操作に応じて、この第１の認証情報と関連付けられて発行された第２の認証情報を記録する第２の認証情報記録手段とを有し、ネットワークを介して第２の認証情報を送信してきた端末からの操作に応じて、前記ブライダル情報を前記ブライダル情報記録手段に記録する。
【００１７】
したがって、管理者からＩＤ、パスワード等の第１の認証情報としての契約者認証情報の発行を受けた契約者は、かかる契約者認証情報を用いてパーソナルコンピュータ等の端末からサーバにアクセスすることでネットワークを介して本システムにアクセスすることができ、契約者認証情報を用いて端末からネットワークを介して本システムにアクセスした契約者は、利用者に対して、利用者の本システムへのアクセスを可能とするＩＤ、パスワード等の第２の認証情報としての利用者認証情報を発行することができ、契約者から利用者認証情報の発行を受けた利用者は、かかる利用者認証情報を用いてパーソナルコンピュータ等の端末からサーバにアクセスすることで本システムにアクセスすることができ、ネットワーク上に公開する利用者のブライダル情報を記録したり編集したりすることができる。
よって、利用者認証情報の発行権限が、管理者から契約者認証情報の発行を受けた契約者に限って与えられ、また、このような契約者によって利用者認証情報の発行を受けた利用者に本システムへのアクセスを可能とすることでセキュリティー性が高いシステムとなるとともに、かかる利用者が自分のブライダル情報を、必要、好み等に応じ記録することができるとともに編集することができる。
【００１８】
また、第１の認証情報に関連付けられて発行された第２の認証情報を第２の認証情報記録手段から取り出して、前記第１の認証情報ごとに課金する情報を生成する課金情報生成手段を有する。
【００１９】
したがって、第１の認証情報記録手段としての契約者認証発行情報記録手段に記録された契約者認証情報と、第２の認証情報記録手段としての利用者認証発行情報記録手段に記録された、契約者認証情報と関連付けられた利用者認証情報とから、契約者が特定され、管理者は、その契約者が利用者認証情報を発行した状況に応じて、課金情報生成手段によって生成された、金額等からなる課金情報により、契約者に対し、本システムを利用したことについて、具体的には契約者が利用者に対して利用者認証情報を発行したことについての請求を行うことができるため、簡易にかかる金額を計算し、その請求を行うことができる。
【００２０】
また、第１の認証情報に関連付けられた期限を記録する期限記録手段と、前記期限に基づいて、この期限に関連付けられた第１の認証情報およびこの第２の認証情報に関連付けられた第２の認証情報を無効とする認証情報無効手段とを有する。
【００２１】
よって、管理者と契約者との契約により設定した期限である所定時が到来すると、認証情報無効手段によって、その契約者およびこれによって利用者認証情報を発行された利用者が本システムにアクセスすることが禁止され、契約者や利用者が本システムを不正に利用することが防止される。
【００２２】
また、ネットワークを介して第２の認証情報を送信してきた端末からの操作に応じて、この第２の認証情報と関連付けられて発行された第３の認証情報を記録する第３の認証情報記録手段を有し、ネットワークを介して第３の認証情報を送信してきた端末からの操作に応じてこの端末に前記ブライダル情報を送信する。
【００２３】
よって、利用者が、利用者認証情報を入力することを条件にして、利用者から閲覧者にＩＤ、パスワード等の第３の認証情報としての閲覧者認証情報の発行を行うことができ、かかる発行を受けた閲覧者のみが、ネットワークを介して本システムにアクセスしてその閲覧者に閲覧者認証情報を発行した利用者のブライダル情報を閲覧できる。したがって、閲覧者認証情報の発行権限が、契約者から利用者認証情報の発行を受けた利用者に限って与えられ、また、このような利用者によって閲覧者認証情報の発行を受けた閲覧者に本システムへのアクセスを可能とすることで閲覧者は必ずその利用者のブライダル情報のみを閲覧することができ、セキュリティー性が高いシステムとなる。
【００２４】
また、ネットワークを介して第２の認証情報を送信してきた端末からの操作に応じて前記ブライダル情報記録手段に記録される前記ブライダル情報に写真データを含む。
【００２５】
よって、利用者の好みに応じた写真がブライダル情報としてネットワーク上に公開され、結婚式に向けて雰囲気を盛り上げたり、結婚式の模様を詳しく伝えたりすることができ、見栄えが良く、利用者にとっても閲覧者にとっても非常に喜ばれるサービスを提供することができる。
【００２６】
また、第２の認証情報に関連付けられたメールアドレスを記録するメールアドレス記録手段と、前記メールアドレスに送信される所定の情報を記録する送信情報記録手段と、ネットワークを介して第２の認証情報を送信してきた端末からの操作に応じて、この端末から送信された所定時期をこの第２の認証情報に関連付けて記録する時期記録手段と、前記所定時期に基づいて前記所定の情報を前記メールアドレスに送信するメール送信手段とを有する。
【００２７】
よって、利用者認証情報を用いてパーソナルコンピュータ等の端末からサーバにアクセスすることで本システムにアクセスした利用者が、利用者に子供が生まれた日付等を登録しておけば、毎年その日付に、誕生日のお祝い等を記載したメールが契約者から利用者に送信され、利用者に喜ばれるとともに契約者の印象を向上することができ、かかるメールに契約者の営業するホテル等のサービス情報を記載しておくことで、契約者の宣伝広告を、利用者の好印象のもとに行うことができるとともに、利用者がサイド契約者を利用することを促すことができる。
そして、上記した課題が解決される。
【００２８】
本発明を適用したブライダル情報サービスシステムについて、以下図面を参照しながら説明する。
図１に、本発明にかかるブライダル情報サービスシステムの概観を示す。
このブライダル情報サービスシステム１００は、図２に示すように、ＩＴ企業等の管理者１によって提供されるものである。
【００２９】
管理者１は、ブライダル情報サービスシステム１００の構築、運営、保守、管理を行う。
契約者２は、管理者１の顧客であって、結婚式場を備えたホテル等、結婚式を運営する業者である。ブライダル情報サービスシステム１００の使用等について管理者１と所定の契約を結んだものが契約者２となる。
利用者３は、契約者２の顧客であって、契約者２の運営する結婚式によって挙式するカップルである。ブライダル情報サービスシステム１００の使用等について契約者２と所定の契約を結んだものが利用者３となる。
閲覧者４は、利用者３の親族や友人等、利用者３と交友のある者である。
【００３０】
ブライダル情報サービスシステム１００は、ネットワークとしてのインターネット網１０（以下、適宜、単に「インターネット」ということがある）を使用し、インターネット網１０に、管理者１が運営する運営者サイド１１と、契約者２が運営する契約者サイド１２と、利用者３が使用する利用者サイド１３と、閲覧者４が使用する閲覧者サイド１４とが接続されることによって構成されている。
【００３１】
運営者サイド１１は、管理者１が使用する情報端末である端末としてのパーソナルコンピュータ２１と、パーソナルコンピュータ２１によって所定の処理を行うことが可能なサーバとしてのブライダル情報サーバ２２と、パーソナルコンピュータ２１、ブライダル情報サーバ２２及びインターネット網１０を接続する通信装置２３とを備えている。
ブライダル情報サーバ２２は、一体の物でなく、インターネット網１０その他のネットワークシステムを介して接続されているものであってもよい。パーソナルコンピュータ２１、ブライダル情報サーバ２２は以下説明する動作を行うことができるものであればどのようなものであってもよい。ブライダル情報サーバ２２は、以下説明する各手段等の構成を備えていれば、一体の物でなく、インターネット網１０その他のネットワークシステムを介して接続されているものであってもよい。パーソナルコンピュータ２１、ブライダル情報サーバ２２は一体型でもよいし、インターネット網１０その他のネットワークシステムを介して接続されているものであってもよい。
【００３２】
管理者１が使用する情報端末は、以下説明する動作を行うことができるものであればパーソナルコンピュータ２１に限らず、どのようなものであってもよい。運営者サイド１１には、ローカルエリアネットワーク等、インターネット網１０以外のネットワークシステムを含んでいてもよい。ブライダル情報サービスシステム１００がインターネット網１０以外にも上述のようなネットワークに実質的に接続されている場合には、それらのネットワークをも含めてネットワークという。
【００３３】
契約者サイド１２は、契約者２が使用する情報端末であるパーソナルコンピュータ２４を有している。契約者２は、図１に示すような２者に限らず、１者でもよいし、３者以上であってもよい。各契約者２は、必ずしも特定のパーソナルコンピュータ２４を使用しなければならないというものではない。パーソナルコンピュータ２４は以下説明する動作を行うことができるものであればどのようなものであってもよい。契約者２が使用する情報端末は以下説明する動作を行うことができるものであればパーソナルコンピュータ２４に限らず、どのようなものであってもよい。契約者サイド１２には、ローカルエリアネットワーク等、インターネット網以外のネットワークシステムを含んでいてもよい。
【００３４】
利用者サイド１３は、利用者３が使用する情報端末である端末としてのパーソナルコンピュータ２５を有している。契約者２は、図１に示すような３者に限らず、２者以下でもよいし、４者以上であってもよい。各利用者３は、必ずしも特定のパーソナルコンピュータ２５を使用しなければならないというものではない。パーソナルコンピュータ２５は以下説明する動作を行うことができるものであればどのようなものであってもよい。利用者３が使用する情報端末は以下説明する動作を行うことができるものであればパーソナルコンピュータ２５に限らず、どのようなものであってもよい。利用者サイド１３には、ローカルエリアネットワーク等、インターネット網以外のネットワークシステムを含んでいてもよい。
【００３５】
閲覧者サイド１４は、閲覧者４が使用する情報端末である端末としてのパーソナルコンピュータ２６を有している。閲覧者４は、図１に示すような４者に限らず、３者以下でもよいし、５者以上であってもよい。各閲覧者４は、必ずしも特定のパーソナルコンピュータ２６を使用しなければならないというものではない。パーソナルコンピュータ２６は以下説明する動作を行うことができるものであればどのようなものであってもよい。閲覧者４が使用する情報端末は以下説明する動作を行うことができるものであればパーソナルコンピュータ２６に限らず、どのようなものであってもよい。閲覧者サイド１４には、ローカルエリアネットワーク等、インターネット網以外のネットワークシステムを含んでいてもよい。
【００３６】
図３に示すように、ブライダル情報サーバ２２は、上述した通信装置２３を介してインターネット、パーソナルコンピュータ２１に接続され通信を行う通信部２７と、各契約者２のホームページ等に対応したデータ等を記録したＲＡＭ，ＲＯＭ等によって構成された記憶部２８と、各契約者２、各利用者３、各閲覧者４及びこれらに対応した後述するＩＤ、パスワード等の各種データを記録したＲＡＭ，ＲＯＭ等によって構成されたデータベース２９と、通信部２７、記憶部２８及びデータベース２９に対する各種制御を行うＣＰＵ等によって構成された制御部３０とを有している。
【００３７】
図４に示すように、パーソナルコンピュータ２１，２４，２５，２６は、各種情報処理を行う本体３１と、本体３１に後述するＩＤ、パスワード等の種々の情報を入力するキーボード、マウス等によって構成される入力部３２と、本体３１による情報処理の結果を画像として表示するモニタ等によって構成された表示部３３と、本体３１による情報処理の結果を音声として出力するスピーカ３４とを有している。以下の説明において、表示部３３への表示には、一般に用いられるブラウザを用いるものとする。
【００３８】
本体３１は、インターネットに接続され通信を行う通信部３５と、所定のデータを記録した記憶部３６と、入力部３２から所定の情報を入力されるとともに、通信部３５および記憶部３６に対する各種制御、表示部３３及びスピーカ３４に対する各種出力を行う制御部３７とを有している。なお、パーソナルコンピュータ２１にあっては、通信部３５は、上述した通信装置２３を介してインターネット、ブライダル情報サーバ２２に接続されている。
【００３９】
ブライダル情報サーバ２２の記憶部２８には各契約者２のホームページに対応したデータ、各ホームページに与えられた所定のＵＲＬ（uniform resource locators）等が記録され、通信装置２３を通してパーソナルコンピュータ２１からのアクセスが可能となっているとともに、インターネット網１０を介してパーソナルコンピュータ２４，２５，２６からのアクセスが可能となっている。
【００４０】
契約者２のホームページは、管理者１、契約者２等によって作成され、これに対応するデータが記憶部２８に記録され、パーソナルコンピュータ２１，２４，２５，２６からの所定のＵＲＬの入力に応じて表示される。契約者２のホームページは、管理者１その他の者が契約者２の求めに応じてパーソナルコンピュータ２１やその他の情報端末を用いて作成したものであっても、契約者２自身がパーソナルコンピュータ２４やその他の情報端末を用いて作成したものであってもよい。作成されたホームページに対応したデータが記憶部２８にアップロードされる。
【００４１】
図５に、契約者２のホームページのトップページの表示例を示す。このトップページ４０には、ご婚礼お写真ギャラリーという表題のバナー４１が表示されている。このバナー中には、ＩＤ入力欄とパスワード入力欄とが備えられており、入力部３２により、それぞれＩＤ、パスワードを入力可能となっている。バナー４１はトップページ４０上に表示するのでなく、図２６に示した、トップページ４０にリンクを張ったログイン専用ページ４２を設けて、ログイン専用ページ４２上でＩＤ、パスワードを入力するようにしてもよい。図５に示したトップページ４０は契約者サイド１２のパーソナルコンピュータ２４に記録されたデータに基づいて表示しても良い。
ＩＤ、パスワードはそれぞれ、管理者１、契約者２、各利用者３、各閲覧者４のそれぞれに、互いに異なるものが発行され、次のように予め発行されたＩＤ、パスワードに該当する情報を入力することにより、後述する特定のページを開くことが許可され、後述する特定の処理を行うことが可能となる。
【００４２】
なお、本形態において、ブライダル情報サービスシステム１００は、かかるＩＤ、パスワードを発行された管理者１、契約者２、各利用者３、各閲覧者４がかかるＩＤ、パスワードを入力することによってアクセス可能となる、特定の、いわば閉じられた系、言い換えると領域によって形成されるシステムを意味し、ブライダル情報サーバ２２によって構成されるが、図５に示したトップページ４０のように、不特定多数の者がアクセスできる領域をも含めてブライダル情報サービスシステム１００としてもよい。
【００４３】
管理者１用のＩＤ、パスワードすなわち管理者認証情報は、管理者１自身によって、各契約者２に対応して、あるいは各契約者２に共通したものとして、パーソナルコンピュータ２１を用いて、あるいはその他の方法によって決められ、パーソナルコンピュータ２１その他の端末装置を用いて記憶部２８の管理者用ＩＤ記憶領域、管理者用パスワード記憶領域に記憶されている。この記憶動作は制御部３０によって制御され、この記憶動作によって実質的に管理者認証情報が発行されたということができるため、制御部３０は管理者認証発行手段として機能するものである。なお、管理者認証情報は、ブライダル情報サーバ２２により、管理者１による所定の操作に応じて制御部３０により自動的に決定されて発行され管理者１に通知されるものであっても良い。管理者認証情報は、記憶部２８に記録される。よって、記憶部２８は、管理者認証発行情報記録手段として機能するものである。
【００４４】
契約者２用のＩＤ、パスワードすなわち契約者認証情報は、管理者１との契約に応じて、管理者１によって、パーソナルコンピュータ２１を用いて、あるいはその他の方法によって決められ、パーソナルコンピュータ２１その他の端末装置を用いて記憶部２８の契約者用ＩＤ記憶領域、契約者用パスワード記憶領域に記憶されている。よって、契約者２は、管理者１が契約者認証情報を発行することによって、ブライダル情報サービスシステム１００にアクセスすることが可能とされる。また契約者認証情報の記憶動作は制御部３０によって制御され、この記憶動作によって実質的に契約者認証情報が発行されたということができるため、制御部３０は契約者認証発行手段として機能するものである。なお、契約者認証情報は、ブライダル情報サーバ２２により、管理者１による所定の操作に応じて制御部３０により自動的に決定されて発行され管理者１に通知されるものであっても良い。契約者認証情報は、記憶部２８および後述するようにデータベース２９に記録される。よって、記憶部２８、データベース２９は、契約者認証発行情報記録手段として機能するものである。
【００４５】
利用者３用のＩＤ、パスワードすなわち利用者認証情報は、契約者２との契約に応じて、契約者２によって、パーソナルコンピュータ２４を用いて、あるいはその他の方法によって決められ、パーソナルコンピュータ２４その他の端末装置を用いて記憶部２８の利用者用ＩＤ記憶領域、利用者用パスワード記憶領域に記憶されている。よって、利用者３は、契約者２が利用者認証情報を発行することによって、ブライダル情報サービスシステム１００にアクセスすることが可能とされる。また利用者認証情報の記憶動作は制御部３０によって制御され、この記憶動作によって実質的に利用者認証情報が発行されたということができるため、制御部３０は利用者認証発行手段として機能するものである。なお、利用者認証情報は、ブライダル情報サーバ２２により、契約者２による所定の操作に応じて制御部３０により自動的に決定されて発行され契約者２に通知されるものであっても良い。利用者認証情報は、記憶部２８および後述するようにデータベース２９に記録される。よって、記憶部２８、データベース２９は、利用者認証発行情報記録手段として機能するものである。
【００４６】
閲覧者４用のＩＤ、パスワードすなわち閲覧者認証情報は、利用者３の発意または閲覧者４の求めにより、利用者３によって、パーソナルコンピュータ２５を用いて、あるいはその他の方法によって決められ、パーソナルコンピュータ２５その他の端末装置を用いて記憶部２８の閲覧者用ＩＤ記憶領域、閲覧者用パスワード記憶領域に記憶されている。よって、閲覧者４は、利用者３が閲覧者認証情報を発行することにより、ブライダル情報サービスシステム１００にアクセスすることが可能とされる。また閲覧者認証情報の記憶動作は制御部３０によって制御され、この記憶動作によって実質的に閲覧者認証情報が発行されたということができるため、制御部３０は閲覧者認証発行手段として機能するものである。なお、閲覧者認証情報は、ブライダル情報サーバ２２により、利用者３による所定の操作に応じて制御部３０により自動的に決定されて発行され利用者３に通知されるものであっても良い。閲覧者認証情報は、記憶部２８および後述するようにデータベース２９に記録される。よって、記憶部２８、データベース２９は、閲覧者認証発行情報記録手段として機能するものである。
【００４７】
図５に示したトップページ４０は契約者サイド１２のパーソナルコンピュータ２４に記録されたデータに基づいて表示しても良い。またバナー４１をトップページ４０上に表示するのでなく、図６に示した、トップページ４０にリンクを張ったログイン専用ページ４２を設けて、ログイン専用ページ４２上でＩＤ、パスワードを入力するようにしてもよい。
【００４８】
図６に示すように、管理者１、契約者２、利用者３、閲覧者４等によって、パーソナルコンピュータ２１，２４，２５，２６等の端末装置から所定のＵＲＬが指定され、アクセス要求すなわち接続要求がなされると（Ｓ１）、ブライダル情報サーバ２２の記憶部２８から該当するトップページ４０またはログイン専用ページ４２が記憶部２８から呼び出され、ＩＤ、パスワード入力画面が当該端末装置に提供されその表示部３３に表示される（Ｓ２）。
【００４９】
ブライダル情報サーバ２２は、ＩＤ、パスワードが入力されるまで待機し（Ｓ３）、ＩＤ、パスワードが入力されるとその照合を行う（Ｓ４）。入力されたＩＤ、パスワードが記憶部２８に記録されている何れのＩＤ、パスワードすなわち何れの認証情報にも適合しない場合には図示しない照合ＮＧ画面が当該端末装置に提供されその表示部３３に表示される（Ｓ５）。入力されたＩＤ、パスワードが記憶部２８に記録されている何れかのＩＤ、パスワードに適合すると、それが管理者認証情報に適合するか否かを判断する（Ｓ６）。
【００５０】
この処理は、データベース２９に記録された認証情報を制御部３０が読み出して照合することによって行われる。よって、制御部３０およびデータベース２９は、管理者１が契約者２に発行した契約者認証情報を入力することを条件に、契約者２に対して後述する利用者認証発行手段としての制御部３０へのアクセスを許可する契約者アクセス許可手段として機能し、また、契約者２が利用者３に発行した利用者認証情報を入力することを条件に、利用者３に対して後述する閲覧者認証発行手段としての制御部３０へのアクセスを許可する利用者アクセス許可手段として機能し、また、利用者３が閲覧者４に発行した閲覧者認証情報を入力することを条件に、閲覧者４に対して後述するように利用者３へのメールを送る権限を与えるメール許可手段として機能している。
ＩＤとパスワードとにより表示すべきアカウントすなわち後述する管理者トップページ、契約者トップページ、利用者トップページ、閲覧者トップページが自動判別されるため、バナー４１、ログイン専用ページ４２等の少なくとも１つの入り口を設置しておくだけでよい。
【００５１】
ブライダル情報サーバ２２は、管理者認証情報に適合すると判断した場合には、管理者用ページ処理に移行し（Ｓ７）、管理者認証情報に適合しないと判断した場合には、契約者認証情報に適合するか否かを判断する（Ｓ８）。
ブライダル情報サーバ２２は、契約者認証情報に適合すると判断した場合には、契約者用ページ処理に移行し（Ｓ９）、契約者認証情報に適合しないと判断した場合には、利用者認証情報に適合するか否かを判断する（Ｓ１０）。
ブライダル情報サーバ２２は、利用者認証情報に適合すると判断した場合には、利用者用ページ処理に移行し（Ｓ１１）、利用者認証情報に適合しないと判断した場合には、利用者用ページ処理に移行する（Ｓ１２）。
【００５２】
図７に示すように、管理者ページ処理においては、管理者トップページとしての図８に示す管理メニューがパーソナルコンピュータ２１に提供されその表示部３３に表示される（Ｓ２１）。
管理メニューにおいて、新規ＩＤ発行ボタンが押下されＩＤ発行要求が選択されるか（Ｓ２２）、契約者一覧ボタンが押下され契約者一覧要求が選択されるか（Ｓ２４）、アクセス解析ボタンが押下されアクセス解析要求が選択されるか（Ｓ２６）の何れかのときまで、ブライダル情報サーバ２２は待機する。
ブライダル情報サーバ２２は、ＩＤ発行要求がなされたと判断した場合には、ＩＤ発行ページ処理に移行し（Ｓ２３）、契約者一覧要求がなされたと判断した場合には、契約者一覧ページ処理に移行し（Ｓ２５）、アクセス解析要求がなされたと判断した場合には、アクセス解析ページ処理に移行（Ｓ２７）する。
【００５３】
図９に示すように、ＩＤ発行ページ処理においては、ＩＤ発行ページとしての図１０に示す契約者設定画面がパーソナルコンピュータ２１に提供されその表示部３３に表示される（Ｓ３１）。
契約者設定画面において、中止ボタンまたは図示しないブラウザの戻るボタンが押下されるか（Ｓ３２）、設定ボタンが押下されＩＤ発行要求がなされるか（Ｓ３４）の何れかのときまで、ブライダル情報サーバ２２は待機する。
【００５４】
契約者設定画面において、中止ボタンまたは図示しないブラウザの戻るボタンが押下された場合には、図８に示した管理メニューに戻る（Ｓ３３）。
契約者設定画面において、設定ボタンが押下された場合には、契約者設定画面において、契約者名、ＩＤ、パスワード、契約開始日、契約終了日、契約者２のメールアドレス等の、所定の必要な項目が入力されているかが判断される（Ｓ３５）。
【００５５】
所定の必要な項目が入力されていない場合には、再入力を促す旨の表示および契約者設定画面がパーソナルコンピュータ２１に提供されその表示部３３に表示され（Ｓ３６）、所定の必要な項目が入力されている場合には、ＩＤ、パスワードすなわち契約者認証情報が発行され（Ｓ３７）、発行されたＩＤ、パスワードが、メールにて、契約者設定画面で入力された契約者２のメールアドレスに自動的に送信される（Ｓ３８）。メールの内容は、ＩＤ、パスワードの他、契約開始日、契約終了日等、種々の情報を含めることができる。かかるメールの作成、送信は制御部３０によって行われる。よって、制御部３０は管理者メール作成手段、管理者メール送信手段として機能する。
【００５６】
その後、契約者設定画面に代わって表示された図示しない画面上の戻るボタンまたは図示しないブラウザの戻るボタンが押下されるまでブライダル情報サーバ２２は待機し、何れかのボタンが押下されると、図７に示したステップＳ２１に戻り、図８に示した管理メニューがパーソナルコンピュータ２１に提供されその表示部３３に表示される（Ｓ３９）。
【００５７】
ここで、契約者設定画面において入力された各項目は、記憶部２８に一旦記録されたのち、契約者２と関連付けられた状態でデータベース２９に記録される。契約者２が複数ある場合には、それぞれの契約者２ごとに各項目が記録される。記憶部２８、データベース２９は、契約者認証情報に関連付けられた契約者２のメールアドレスを記録する契約者メールアドレス記録手段として機能する。
上述した契約者設定画面において入力すべき契約開始日とは、管理者１と契約者２との契約により契約者２が契約者認証情報を用いたアクセスが可能とされるとともに利用者認証情報を発行することが可能となる日である。契約終了日とは、管理者１と契約者２との契約により契約者２が契約者認証情報を用いたアクセスができる日の最終日であって利用者認証情報を発行することができる日の最終日である。
契約終了日は、単に契約者２が契約者認証情報を用いたアクセスができる日の最終日であって利用者認証情報を発行することができる日の最終日であってもよいが、これとともに、利用者３が利用者認証情報を用いたアクセスができる日の最終日であって閲覧者認証情報を発行することができる日の最終日、閲覧者４が閲覧者認証情報を用いたアクセスができる日の最終日とすることができる。
【００５８】
すなわち、契約者２は、契約終了日の翌日の到来により、契約者認証情報が無効とされ、契約者認証情報を用いても、ブライダル情報サービスシステム１００へのアクセスが禁止される。この処理は制御部３０が、内蔵の時計を参照しつつ行うため、制御部３０は、契約者認証情報無効手段、契約者アクセス禁止手段として機能する。また、これに加え利用者３が、契約終了日の翌日の到来により、利用者認証情報が無効とされ、利用者認証情報を用いても、ブライダル情報サービスシステム１００へのアクセスが禁止されるようにされた場合には、制御部３０は、同様に、利用者認証情報無効手段、利用者アクセス禁止手段として機能し、さらに、これに加え閲覧者４が、契約終了日の翌日の到来により、閲覧者認証情報を無効とされ、閲覧者認証情報を用いても、ブライダル情報サービスシステム１００へのアクセスが禁止されるようにされた場合には、制御部は、同様に閲覧者認証情報無効手段、閲覧者アクセス禁止手段として機能する。なお、契約終了日でなく、契約開始日からの契約期間を入力するようにしてもよい。記憶部２８、データベース２９は、契約者認証情報に関連付けられた契約終了日、言い換えると期限を記録する、契約者期限記録手段として機能する。
【００５９】
契約者２は管理者１に対してメールを通じて契約期間の延長を申し入れることができる。この申し入れを促すため、管理者１は契約終了日以前の決められた所定の時にメールを送信することができ、かかる所定の時を予めデータベース２９に登録しておくことにより、自動的に送信するように構成することも可能であり、この場合には、制御部３０がかかる処理を行うようにすることができ、この制御部３０は契約期間更新確認メール発送手段として機能する。また、かかるメールへの返信メールとして契約者２から管理者１に契約期間の延長の申し入れを行うメールが管理者１に届いたときは、制御部３０がかかる期間を自動的に延長するようにしても良く、これを行うために、たとえば管理者１が契約者２に送信するメールに、特定のデータを添付し、これを返信メールに載せ、制御部３０がこれを読み取ってかかる延長を行うよう構成することができ、この場合には、制御部３０がかかる処理を行うようにすることができ、この制御部３０は契約期間更新確認メール発送手段として機能する。
【００６０】
図１１に示すように、契約者一覧ページ処理においては、全ての契約者２をデータベース２９から取得し（Ｓ４１）、契約者一覧ページを生成し（Ｓ４２）、契約者一覧ページとしての図１２に示した契約者一覧がパーソナルコンピュータ２１に提供されその表示部３３に表示される（Ｓ４３）。図１２に示した契約者一覧においては、各契約者２の名称と、このそれぞれに関連付けられている契約開始日、契約終了日が表示されているが、少なくとも契約者２の名称が表示されれば良く、これに関連付けられる項目はデータベース２９に記録されている項目から適宜選択できるようにすることができる。この処理は制御部３０によって行われ、制御部３０は契約者一覧作成手段として機能する。
【００６１】
契約者一覧において、図示しない戻るボタンまたは図示しないブラウザの戻るボタンが押下されるか（Ｓ４４）、入力部３２を構成するマウスのポインタ等によって契約者一覧上における何れかの契約者２の名称が選択され契約者２の指定が行われるか（Ｓ４６）の何れかのときまで、ブライダル情報サーバ２２は待機する。
契約者一覧において、図示しない戻るボタンまたは図示しないブラウザの戻るボタンが押下された場合には、図８に示した管理メニューに戻る（Ｓ４５）。
契約者一覧において、契約者２の指定が行われた場合には、図１０に示した契約者設定画面がパーソナルコンピュータ２１に提供されその表示部３３に表示される（Ｓ４７）。
【００６２】
契約者設定画面において、設定ボタンが押下され、更新要求がなされるか（Ｓ４８）、中止ボタンまたは図示しないブラウザの戻るボタンが押下されるか（Ｓ４９）の何れかのときまで、ブライダル情報サーバ２２は待機する。
契約者設定画面において、設定ボタンが押下され、更新要求がなされた場合は（Ｓ４８）、契約者設定画面に入力された各項目の内容が、データベース２９に記録されていた対応する項目の内容と置き換えられることで、データベース２９に登録され（Ｓ５０）、再度、図１０に示した契約者設定画面がパーソナルコンピュータ２１に提供されその表示部３３に表示される（Ｓ４７）。
契約者設定画面において、中止ボタンまたは図示しないブラウザの戻るボタンが押下された場合は（Ｓ４８）、ステップＳ４３に戻り、図１０に示した管理メニューがパーソナルコンピュータ２１に提供されその表示部３３に表示される。
【００６３】
契約者設定画面においては、発行ＩＤ数、今月ＩＤ数、契約残、今月請求額が確認できるようになっている。発行ＩＤ数とは、その契約者２が現時点までに発行した有効なＩＤの総数すなわち利用者認証情報の総数である。今月ＩＤ数とは、その契約者２が当月に発行したＩＤ数すなわち利用者認証情報の数である。契約残とは、その契約者２との契約の残り期間である。今月請求額とは、今月ＩＤ数を元に算出した、契約者２に対する請求額である。算出は制御部３０が行う。よって、制御部３０は、記憶部２８、あるいはデータベース２９に記録された、契約者認証情報に関連付けられて発行された利用者認証発行情報を取り出し、管理者１から、契約者２ごとへの課金に関する情報を生成する課金情報生成手段として機能するものである。
【００６４】
課金の計算方法は、本形態では、今月ＩＤ数と今月ＩＤ数１つ当たりの金額との積によって求めるが、利用者３による利用期間を考慮に入れて、発行ＩＤ数と発行ＩＤ数１つ当たりの金額との積によって求めてもよいし、今月ＩＤ数、発行ＩＤ数に段階を設け、たとえばかかる数が５以内であればいくら、５を超えて１０以内であればいくらと定めるなど各段階の限度数に応じて定めた金額を課金するようにしてもよい。
【００６５】
契約者設定画面においては、発行ＩＤ数の欄、今月ＩＤ数の欄において利用者認証情報の数を閲覧し確認することが可能となっており、この確認は、制御部３０が、契約者設定画面をパーソナルコンピュータ２１に提供しその表示部３３に表示させることによって行われるものであるため、制御部３０は、管理者１が利用者認証情報発行手段を閲覧することを可能とする利用者発行情報閲覧手段として機能するものである。管理者１は、本形態では、利用者認証情報について、その数のみを閲覧し確認することが可能となっており、これによって、管理者１は後述する利用者設定画面の閲覧を実質的に禁止されるため、利用者３のプライバシーが高度に保たれるが、利用者認証情報の内容すなわちＩＤ、パスワードをも管理者１が閲覧できるようにしてもよい。制御部３０は、利用者発行情報閲覧手段として機能する一方、利用者設定情報閲覧禁止手段としても機能している。
【００６６】
図１３に示すように、アクセス解析ページ処理においては、図示しない解析条件入力ページがパーソナルコンピュータ２１に提供されその表示部３３に表示される（Ｓ５１）。解析条件入力ページにおいては、契約者２の名称、ブライダル情報サービスシステム１００へのログイン回数その他の条件が入力されるようになっている。
解析条件入力ページにおいて、図示しない中止ボタンまたは図示しないブラウザの戻るボタンが押下されるか（Ｓ５２）、少なくとも１つの解析条件が入力されて解析開始ボタンが押下されるか（Ｓ５４）の何れかのときまで、ブライダル情報サーバ２２は待機する。
解析条件入力ページにおいて、図示しない中止ボタンまたは図示しないブラウザの戻るボタンが押下された場合には、図８に示した管理メニューに戻る（Ｓ５３）。
解析条件入力ページにおいて、少なくとも１つの解析条件が入力されて解析開始ボタンが押下された場合には、入力された解析条件に応じて、記憶部２８、データベース２９に記録されたデータのうち、主にデータベース２９に格納されている該当データを参照して所定の解析が行われ、解析結果がパーソナルコンピュータ２１に提供されその表示部３３に表示される（Ｓ５５）。この処理は制御部３０によって行われ、制御部３０は契約者アクセス解析手段として機能する。
【００６７】
その後、解析条件入力ページに代わって表示された図示しない画面上の戻るボタンまたは図示しないブラウザの戻るボタンが押下されるまでブライダル情報サーバ２２は待機し、何れかのボタンが押下されると、図７に示したステップＳ２１に戻り、図８に示した管理メニューがパーソナルコンピュータ２１に提供されその表示部３３に表示される（Ｓ５６）。
【００６８】
図１４に示すように、契約者ページ処理においては、契約者トップページとしての図１５に示す管理メニューがパーソナルコンピュータ２４に提供されその表示部３３に表示される（Ｓ６１）。
管理メニューにおいて、新規ＩＤ発行ボタンが押下されＩＤ発行要求が選択されるか（Ｓ６２）、利用者一覧ボタンが押下され利用者一覧要求が選択されるか（Ｓ６４）、アクセス解析ボタンが押下されアクセス解析要求が選択されるか（Ｓ６６）の何れかのときまで、ブライダル情報サーバ２２は待機する。
ブライダル情報サーバ２２は、ＩＤ発行要求がなされたと判断した場合には、ＩＤ発行ページ処理に移行し（Ｓ６３）、利用者一覧要求がなされたと判断した場合には、利用者一覧ページ処理に移行し（Ｓ６５）、アクセス解析要求がなされたと判断した場合には、アクセス解析ページ処理に移行（Ｓ６７）する。
【００６９】
図９を参照して、契約者のＩＤ発行ページ処理について説明する。このＩＤ発行ページ処理は、管理者ページ処理におけるＩＤ発行ページ処理とほぼ同様であるため、その説明に使用した図９を用いて説明する。このＩＤ発行ページ処理においては、ＩＤ発行ページとしての図１６に示す利用者設定画面がパーソナルコンピュータ２１に提供されその表示部３３に表示される（Ｓ３１）。
利用者設定画面において、中止ボタンまたは図示しないブラウザの戻るボタンが押下されるか（Ｓ３２）、設定ボタンが押下されＩＤ発行要求がなされるか（Ｓ３４）の何れかのときまで、ブライダル情報サーバ２２は待機する。
【００７０】
利用者設定画面において、中止ボタンまたは図示しないブラウザの戻るボタンが押下された場合には、図１５に示した管理メニューに戻る（Ｓ３３）。
利用者設定画面において、設定ボタンが押下された場合には、利用者設定画面において、利用者名、ＩＤ、パスワード、公開開始日、公開終了日、デザイン選択、テキスト、利用者３のメールアドレス等の、所定の必要な項目が入力されているかが判断される（Ｓ３５）。
【００７１】
所定の必要な項目が入力されていない場合には、再入力を促す旨の表示および利用者設定画面がパーソナルコンピュータ２１に提供されその表示部３３に表示され（Ｓ３６）、所定の必要な項目が入力されている場合には、ＩＤ、パスワードすなわち利用者認証情報が発行され（Ｓ３７）、発行されたＩＤ、パスワードが、メールにて、利用者設定画面で入力された利用者３のメールアドレスに自動的に送信される（Ｓ３８）。メールの内容は、ＩＤ、パスワードの他、公開開始日、公開終了日等、種々の情報を含めることができる。また、実際に公開されるブライダル情報を表示した画面を、ビットマップ等の画像表示ファイルに変換し、このファイルを添付するようにしてもよい。かかるファイルは、データ量の少ないファイル形式を採用したものであることが望ましい。かかるメールの作成、送信は制御部３０によって行われる。よって、制御部３０は契約者メール作成手段、契約者メール送信手段として機能する。
【００７２】
その後、利用者設定画面に代わって表示された図示しない画面上の戻るボタンまたは図示しないブラウザの戻るボタンが押下されるまでブライダル情報サーバ２２は待機し、何れかのボタンが押下されると、図１４に示したステップＳ２１に戻り、図１５に示した管理メニューがパーソナルコンピュータ２４に提供されその表示部３３に表示される（Ｓ３９）。
【００７３】
ここで、利用者設定画面において入力された各項目は、記憶部２８に一旦記録されたのち、契約者２および利用者３と関連付けられた状態でデータベース２９に記録される。契約者２、利用者３が複数ある場合には、それぞれの契約者２、利用者３ごとに各項目が記録される。記憶部２８、データベース２９は、利用者認証情報に関連付けられた利用者３のメールアドレスを記録する利用者メールアドレス記録手段として機能する。
上述した利用者設定画面において入力すべき公開開始日とは、契約者２と利用者３との契約により利用者３のブライダル情報がブライダル情報サービスシステム１００上に公開され、また利用者３が利用者認証情報を用いたアクセスが可能とされるとともに閲覧者認証情報を発行することが可能となる日である。公開終了日とは、契約者２と利用者３との契約により利用者３のブライダル情報がブライダル情報サービスシステム１００上に公開される日の最終日であり、また利用者３が契約者認証情報を用いたアクセスができる日の最終日であり閲覧者認証情報を発行することができる日の最終日である。
公開終了日は、単に利用者３のブライダル情報がブライダル情報サービスシステム１００上に公開される日の最終日であり、また利用者３が利用者認証情報を用いたアクセスができる日の最終日であり閲覧者認証情報を発行することができる日の最終日であってもよいが、これとともに、閲覧者４が閲覧者認証情報を用いたアクセスができる日の最終日とすることができる。
【００７４】
すなわち、利用者３は、公開終了日の翌日の到来により、利用者認証情報が無効とされ、利用者認証情報を用いても、ブライダル情報サービスシステム１００へのアクセスが禁止される。この処理は制御部３０が、内蔵の時計を参照しつつ行うため、制御部３０は、利用者アクセス禁止手段として機能する。また、これに加え閲覧者４が、公開終了日の翌日の到来により、閲覧者認証情報を用いても、ブライダル情報サービスシステム１００へのアクセスが禁止されるようにされた場合には、制御部３０は、同様に閲覧者アクセス禁止手段として機能する。なお、公開終了日でなく、公開開始日からの契約期間を入力するようにしてもよい。記憶部２８、データベース２９は、利用者認証情報に関連付けられた公開終了日、言い換えると期限を記録する、利用者期限記録手段として機能する。
【００７５】
利用者３は契約者２に対してメールを通じて契約期間の延長を申し入れることができる。この申し入れを促すため、利用者３は公開終了日以前の決められた所定の時にメールを送信することができ、かかる所定の時を予めデータベース２９に登録しておくことにより、自動的に送信するように構成することも可能であり、この場合には、制御部３０がかかる処理を行うようにすることができ、この制御部３０は公開期間更新確認メール発送手段として機能する。また、かかるメールへの返信メールとして利用者３から契約者２に公開期間の延長の申し入れを行うメールが契約者２に届いたときは、制御部３０がかかる期間を自動的に延長するようにしても良く、これを行うために、たとえば契約者２が利用者３に送信するメールに、特定のデータを添付し、これを返信メールに載せ、制御部３０がこれを読み取ってかかる延長を行うよう構成することができ、この場合には、制御部３０がかかる処理を行うようにすることができ、この制御部３０は公開期間更新確認メール発送手段として機能する。
【００７６】
公開開始日は契約開始日以降でなければならないため、入力された公開開始日が契約開始日より前であるときには、ステップＳ３６においてその旨および公開開始日に適切な日付を再入力すべき旨が表示される。
公開終了日は契約終了日以前でなければならないため、入力された公開終了日が契約終了日より後であるときには、ステップＳ３６においてその旨および公開開始日に適切な日付を再入力すべき旨が表示される。
【００７７】
デザイン選択は、利用者３が公開するブライダル情報に関する表示のレイアウトを選択するものである。複数のデザインテンプレートが用意されており、何れかを自由に選択することで、公開されるブライダル情報の視覚的な雰囲気を引き立てることができる。
テキストとしては、デザイン選択により選択されたレイアウト中に表示されるテキストの内容を書き込む。
また、利用者設定画面では、ロゴアップロードボタンを押下することで、選択されたデザインに合わせたたとえば○○○ホテルといった会社ロゴすなわち契約者２の社名ロゴ等をアップロードできるようになっている。
また、利用者設定画面では、写真アップロードボタンを押下することで、選択された写真たとえば結婚する二人の生い立ちや結婚式の模様を撮影した写真をアップロードできるようになっている。
ロゴアップロードによりアップロードされるロゴ、写真アップロードによりアップロードされる写真は、契約者２が予め用意し、パーソナルコンピュータ２４の記憶部３６に記録したものである。写真は契約者２がデジタルカメラを用いて撮影したものであれば、記憶部３６への入力が容易である。写真は、アップロードされる時点でサムネイル表示用と拡大表示用とに自動的にリサイズされ、サムネイル画面で表示されているサムネイルを選択することで、選択したサムネイルの拡大画像が別ウィンドウで表示され、内容を良く確認できるようになる。
【００７８】
図１７に示すように、利用者一覧ページ処理においては、その契約者２に関係する全ての利用者３をデータベース２９から取得し（Ｓ７１）、利用者一覧ページを生成し（Ｓ７２）、利用者一覧ページとしての図１８に示した利用者一覧がパーソナルコンピュータ２４に提供されその表示部３３に表示される（Ｓ７３）。図１８に示した利用者一覧においては、各利用者３の名前または名称と、このそれぞれに関連付けられている公開開始日、公開終了日が表示されているが、少なくとも利用者３の名前または名称が表示されれば良く、これに関連付けられる項目はデータベース２９に記録されている項目から適宜選択できるようにすることができる。この処理は制御部３０によって行われ、制御部３０は利用者一覧作成手段として機能する。
【００７９】
利用者一覧において、図示しない戻るボタンまたは図示しないブラウザの戻るボタンが押下されるか（Ｓ７４）、入力部３２を構成するマウスのポインタ等によって利用者一覧上における何れかの利用者３の名前または名称が選択され利用者３の指定が行われるか（Ｓ７６）の何れかのときまで、ブライダル情報サーバ２２は待機する。
利用者一覧において、図示しない戻るボタンまたは図示しないブラウザの戻るボタンが押下された場合には、図１５に示した管理メニューに戻る（Ｓ７５）。
契約者一覧において、利用者３の指定が行われた場合には、図１６に示した利用者設定画面がパーソナルコンピュータ２４に提供されその表示部３３に表示される（Ｓ７７）。
【００８０】
利用者設定画面において、設定ボタンが押下され、更新要求がなされるか（Ｓ７８）、中止ボタンまたは図示しないブラウザの戻るボタンが押下されるか（Ｓ７９）の何れかのときまで、ブライダル情報サーバ２２は待機する。
利用者設定画面において、設定ボタンが押下され、更新要求がなされた場合は（Ｓ７８）、利用者設定画面に入力された各項目の内容が、データベース２９に記録されていた対応する項目の内容と置き換えられることで、データベース２９に登録され（Ｓ８０）、再度、図１６に示した利用者設定画面がパーソナルコンピュータ２４に提供されその表示部３３に表示される（Ｓ７７）。
利用者設定画面において、中止ボタンまたは図示しないブラウザの戻るボタンが押下された場合は（Ｓ７８）、ステップＳ７３に戻り、図１５に示した管理メニューがパーソナルコンピュータ２４に提供されその表示部３３に表示される。
【００８１】
図１３を参照して、契約者２が行うアクセス解析ページ処理について説明する。このアクセス解析ページ処理は、管理者ページ処理におけるアクセス解析ページ処理とほぼ同様であるため、その説明に使用した図１３を用いて説明する。このアクセス解析ページ処理においては、図示しない解析条件入力ページがパーソナルコンピュータ２４に提供されその表示部３３に表示される（Ｓ５１）。解析条件入力ページにおいては、利用者３の名前、ブライダル情報サービスシステム１００へのログイン回数その他の条件が入力されるようになっている。
解析条件入力ページにおいて、図示しない中止ボタンまたは図示しないブラウザの戻るボタンが押下されるか（Ｓ５２）、少なくとも１つの解析条件が入力されて解析開始ボタンが押下されるか（Ｓ５４）の何れかのときまで、ブライダル情報サーバ２２は待機する。
解析条件入力ページにおいて、図示しない中止ボタンまたは図示しないブラウザの戻るボタンが押下された場合には、図１５に示した管理メニューに戻る（Ｓ５３）。
解析条件入力ページにおいて、少なくとも１つの解析条件が入力されて解析開始ボタンが押下された場合には、入力された解析条件に応じて、記憶部２８、データベース２９に記録されたデータのうち、主にデータベース２９に格納されている該当データを参照して所定の解析が行われ、解析結果がパーソナルコンピュータ２４に提供されその表示部３３に表示される（Ｓ５５）。この処理は制御部３０によって行われ、制御部３０は利用者アクセス解析手段として機能する。
【００８２】
その後、解析条件入力ページに代わって表示された図示しない画面上の戻るボタンまたは図示しないブラウザの戻るボタンが押下されるまでブライダル情報サーバ２２は待機し、何れかのボタンが押下されると、図１４に示したステップＳ６１に戻り、図１５に示した管理メニューがパーソナルコンピュータ２４に提供されその表示部３３に表示される（Ｓ５６）。
【００８３】
図１９に示すように、利用者ページ処理においては、利用者トップページとしての図２０に示す管理メニューがパーソナルコンピュータ２５に提供されその表示部３３に表示される（Ｓ８１）。
管理メニューにおいて、新規ＩＤ発行ボタンが押下されＩＤ発行要求が選択されるか（Ｓ８２）、閲覧者一覧ボタンが押下され閲覧者一覧要求が選択されるか（Ｓ８４）、アクセス解析ボタンが押下されアクセス解析要求が選択されるか（Ｓ８６）の何れかのときまで、ブライダル情報サーバ２２は待機する。
ブライダル情報サーバ２２は、ＩＤ発行要求がなされたと判断した場合には、ＩＤ発行ページ処理に移行し（Ｓ８３）、閲覧者一覧要求がなされたと判断した場合には、閲覧者一覧ページ処理に移行し（Ｓ８５）、アクセス解析要求がなされたと判断した場合には、アクセス解析ページ処理に移行（Ｓ８７）する。
【００８４】
図９を参照して、利用者のＩＤ発行ページ処理について説明する。このＩＤ発行ページ処理は、管理者ページ処理、契約者ページ処理におけるＩＤ発行ページ処理とほぼ同様であるため、その説明に使用した図９を用いて説明する。このＩＤ発行ページ処理においては、ＩＤ発行ページとしての図１６に示した利用者設定画面を簡易化した図示しない閲覧者設定画面がパーソナルコンピュータ２５に提供されその表示部３３に表示される（Ｓ３１）。
閲覧者設定画面において、中止ボタンまたは図示しないブラウザの戻るボタンが押下されるか（Ｓ３２）、設定ボタンが押下されＩＤ発行要求がなされるか（Ｓ３４）の何れかのときまで、ブライダル情報サーバ２２は待機する。
【００８５】
閲覧者設定画面において、中止ボタンまたは図示しないブラウザの戻るボタンが押下された場合には、図２０に示した管理メニューに戻る（Ｓ３３）。
閲覧者設定画面において、設定ボタンが押下された場合には、閲覧者設定画面において、閲覧者名、ＩＤ、パスワード、公開開始日、公開終了日、デザイン選択、テキスト、閲覧者４のメールアドレス等の、所定の必要な項目が入力されているかが判断される（Ｓ３５）。
【００８６】
所定の必要な項目が入力されていない場合には、再入力を促す旨の表示および閲覧者設定画面がパーソナルコンピュータ２５に提供されその表示部３３に表示され（Ｓ３６）、所定の必要な項目が入力されている場合には、ＩＤ、パスワードすなわち閲覧者認証情報が発行され（Ｓ３７）、発行されたＩＤ、パスワードが、メールにて、閲覧者設定画面で入力された閲覧者４のメールアドレスに自動的に送信される（Ｓ３８）。メールの内容は、ＩＤ、パスワードの他、閲覧開始日、閲覧終了日等、種々の情報を含めることができる。また、実際に公開されるブライダル情報を表示した画面を、ビットマップ等の画像表示ファイルに変換し、このファイルを添付するようにしてもよい。かかるファイルは、データ量の少ないファイル形式を採用したものであることが望ましい。かかるメールの作成、送信は制御部３０によって行われる。よって、制御部３０は利用者メール作成手段、利用者メール送信手段として機能する。
【００８７】
閲覧者設定画面は、利用者設定画面と比べると、公開開始日、公開終了日がそれぞれ閲覧開始日、閲覧終了日に変わっているとともに、ロゴアップロードボタン、テキスト入力欄、写真アップロードボタンが省略されている。なお、テキスト入力欄は利用者設定画面と同様に備えられていてもよい。デザイン選択は、利用者設定画面と同様に複数のデザインテンプレートが用意されており、何れかを自由に選択することで、利用者３の好みに応じて、公開される写真などのブライダル情報の視覚的な雰囲気を引き立てることができる。
【００８８】
また、閲覧者設定画面には、結婚式のときに閲覧者４が座る席の配置を入力する画面を含めることができる。閲覧者４の席が入力されたときには、ブライダル情報として公開され、閲覧者４が閲覧可能になるとともに、閲覧者４へのメールにその情報が添付される。かかる情報は、画像化された座席表とすることができ、ビットマップ等の画像表示ファイルに変換し、このファイルを添付するようにしてもよい。かかるファイルは、データ量の少ないファイル形式を採用したものであることが望ましい。このような処理は制御部３０によって行われ、この場合、制御部３０は、閲覧者席公開手段、閲覧者席メール添付手段として機能する。閲覧者４にとって結婚式のときに座る席が予めわかって便利である。
【００８９】
ここで、利用者設定画面において入力された各項目は、記憶部２８に一旦記録されたのち、契約者２、利用者３および閲覧者４と関連付けられた状態でデータベース２９に記録される。契約者２、利用者３、閲覧者４が複数ある場合には、それぞれの契約者２、利用者３、閲覧者４ごとに各項目が記録される。記憶部２８、データベース２９は、閲覧者認証情報に関連付けられた閲覧者４のメールアドレスを記録する閲覧者メールアドレス記録手段として機能する。
上述した閲覧者設定画面において入力すべき閲覧開始日とは、利用者３の発意や閲覧者４の求めにより、閲覧者４が閲覧者認証情報を用いたアクセスを可能とされるとともに後述するように利用者３にメッセージを送ることが可能となる日である。公開終了日とは、閲覧者４が閲覧者認証情報を用いたアクセスができる日の最終日であり利用者３にメッセージを送ることができる日の最終日である。
すなわち、閲覧者４は、閲覧終了日の翌日の到来により、閲覧者認証情報が無効とされ、閲覧者認証情報を用いても、ブライダル情報サービスシステム１００へのアクセスが禁止される。この処理は制御部３０が、内蔵の時計を参照しつつ行うため、制御部３０は、閲覧者アクセス禁止手段として機能する。なお、閲覧終了日でなく、閲覧開始日からの閲覧許可期間を入力するようにしてもよい。記憶部２８、データベース２９は、閲覧者認証情報に関連付けられた閲覧終了日、言い換えると期限を記録する、閲覧者期限記録手段として機能する。
【００９０】
閲覧者４は利用者３に対してメールを通じて契約期間の延長を申し入れることができる。利用者３は閲覧終了日以前の決められた所定の時にメールを送信することができ、かかる所定の時を予めデータベース２９に登録しておくことにより、自動的に送信するように構成することも可能であり、この場合には、制御部３０がかかる処理を行うようにすることができ、この制御部３０は閲覧期間更新確認メール発送手段として機能する。また、かかるメールへの返信メールとして閲覧者４から利用者３に契約期間の延長の申し入れを行うメールが利用者３に届いたときは、制御部３０がかかる期間を自動的に延長するようにしても良く、これを行うために、たとえば利用者３が閲覧者４に送信するメールに、特定のデータを添付し、これを返信メールに載せ、制御部３０がこれを読み取ってかかる延長を行うよう構成することができ、この場合には、制御部３０がかかる処理を行うようにすることができ、この制御部３０は閲覧期間更新確認メール発送手段として機能する。
【００９１】
閲覧開始日は公開開始日以降でなければならないため、入力された閲覧開始日が公開開始日より前であるときには、ステップＳ３６においてその旨および閲覧開始日に適切な日付を再入力すべき旨が表示される。
閲覧終了日は公開終了日以前でなければならないため、入力された閲覧終了日が公開終了日より後であるときには、ステップＳ３６においてその旨および閲覧開始日に適切な日付を再入力すべき旨が表示される。
【００９２】
ステップＳ３８において閲覧者４にメールが送信された後、利用者設定画面に代わって、図２１に示す新郎新婦設定画面が表示される。
新郎新婦設定画面では、契約者２が利用者設定画面でアップロードした写真がサムネイルとして並べて表示されており、図２２に示す新郎新婦プロフィール画面や図２３に示すサムネイル画面等によって構成されブライダル情報サービスシステム１００上に公開されるブライダル情報のコンテンツとして表示する写真と、新郎新婦プロフィール画面、サムネイル画面等において背景として表示する画像とを選択することができるようになっているとともに、新郎新婦プロフィール画面において表示する新郎、新婦それぞれのプロフィールと、閲覧者４に対するメッセージとをテキストで入力することができるようになっている。サムネイル画面では、表示されているサムネイルを入力部３２を構成するマウスのポインタ等でクリックするなどして選択することで、選択したサムネイルの拡大画像が別ウィンドウで表示され、内容を良く確認できる。
【００９３】
利用者３がかかる選択や入力を行った後、新郎新婦設定画面で送信ボタンを押下すると、新郎新婦設定画面で選択、入力した情報が、記憶部２８に一旦記録されたのち、利用者３と関連付けられた状態でデータベース２９に記録されアップロードされ、これによってブライダル情報サービスシステム１００上に公開される当該利用者３のブライダル情報のコンテンツが更新される。よって、データベース２９は、利用者３が利用者認証情報を入力することを条件にブライダル情報をネットワーク上に公開する態様を編集可能とするブライダル情報設定手段として機能する。またこの処理は、制御部３０がデータベース２９の書き換えることによって行われるため、制御部３０は、データベース２９に変えて、またデータベース２９とともに、ブライダル情報設定手段として機能するとも言える。
【００９４】
送信ボタンの押下と同時に図２２に示す新郎新婦プロフィール画面や図２３に示すサムネイル画面等が自動的に立ち上がり、それぞれ別のウィンドウ上で見ることができるようになって、利用者３がその更新後の状態を確認できるようになる。なお、送信ボタンの押下と同時に自動的に立ち上がるのは新郎新婦プロフィール画面のみであってもよい。新郎新婦プロフィール画面にはサムネイル画面等にジャンプするボタンやサムネイル画面等を立ち上げるボタン等が設けられており、このようなボタンを押下することでサムネイル画面等の更新を確認できる。
【００９５】
その後、新郎新婦設定画面に代わって表示された図示しない画面上の戻るボタンまたは図示しないブラウザの戻るボタンが押下されるまでブライダル情報サーバ２２は待機し、何れかのボタンが押下されると、図１９に示したステップＳ８１に戻り、図２０に示した管理メニューがパーソナルコンピュータ２５に提供されその表示部３３に表示される（Ｓ３９）。
【００９６】
図２４に示すように、閲覧者一覧ページ処理においては、その利用者３に関係する全ての閲覧者４をデータベース２９から取得し（Ｓ９１）、閲覧者一覧ページを生成し（Ｓ９２）、閲覧者一覧ページとしての図２５に示した閲覧者一覧がパーソナルコンピュータ２５に提供されその表示部３３に表示される（Ｓ９３）。図２５に示した閲覧者一覧においては、各閲覧者４の名前または名称と、このそれぞれに関連付けられている閲覧開始日、閲覧終了日が表示されているが、少なくとも閲覧者４の名前または名称が表示されれば良く、これに関連付けられる項目はデータベース２９に記録されている項目から適宜選択できるようにすることができる。この処理は制御部３０によって行われ、制御部３０は閲覧者一覧作成手段として機能する。
【００９７】
閲覧者一覧において、図示しない戻るボタンまたは図示しないブラウザの戻るボタンが押下されるか（Ｓ９４）、入力部３２を構成するマウスのポインタ等によって閲覧者一覧上における何れかの閲覧者４の名前または名称が選択され閲覧者４の指定が行われるか（Ｓ９６）の何れかのときまで、ブライダル情報サーバ２２は待機する。
閲覧者一覧において、図示しない戻るボタンまたは図示しないブラウザの戻るボタンが押下された場合には、図２０に示した管理メニューに戻る（Ｓ９５）。
閲覧者一覧において、閲覧者４の指定が行われた場合には、閲覧者設定画面がパーソナルコンピュータ２５に提供されその表示部３３に表示される（Ｓ９７）。
【００９８】
閲覧者設定画面において、設定ボタンが押下され、更新要求がなされるか（Ｓ９８）、中止ボタンまたは図示しないブラウザの戻るボタンが押下されるか（Ｓ９９）の何れかのときまで、ブライダル情報サーバ２２は待機する。
閲覧者設定画面において、設定ボタンが押下され、更新要求がなされた場合は（Ｓ９８）、閲覧者設定画面に入力された各項目の内容が、データベース２９に記録されていた対応する項目の内容と置き換えられることで、データベース２９に登録され（Ｓ１００）、再度、閲覧者設定画面がパーソナルコンピュータ２５に提供されその表示部３３に表示される（Ｓ７７）。
閲覧者設定画面において、中止ボタンまたは図示しないブラウザの戻るボタンが押下された場合は（Ｓ９８）、ステップＳ９３に戻り、図２５に示した管理メニューがパーソナルコンピュータ２５に提供されその表示部３３に表示される。
【００９９】
図１３を参照して、利用者３が行うアクセス解析ページ処理について説明する。このアクセス解析ページ処理は、管理者ページ処理、契約者ページ処理におけるアクセス解析ページ処理とほぼ同様であるため、その説明に使用した図１３を用いて説明する。このアクセス解析ページ処理においては、図示しない解析条件入力ページがパーソナルコンピュータ２５に提供されその表示部３３に表示される（Ｓ５１）。解析条件入力ページにおいては、閲覧者４の名前、ブライダル情報サービスシステム１００へのログイン回数その他の条件が入力されるようになっている。
解析条件入力ページにおいて、図示しない中止ボタンまたは図示しないブラウザの戻るボタンが押下されるか（Ｓ５２）、少なくとも１つの解析条件が入力されて解析開始ボタンが押下されるか（Ｓ５４）の何れかのときまで、ブライダル情報サーバ２２は待機する。
解析条件入力ページにおいて、図示しない中止ボタンまたは図示しないブラウザの戻るボタンが押下された場合には、図２０に示した管理メニューに戻る（Ｓ５３）。
解析条件入力ページにおいて、少なくとも１つの解析条件が入力されて解析開始ボタンが押下された場合には、入力された解析条件に応じて、記憶部２８、データベース２９に記録されたデータのうち、主にデータベース２９に格納されている該当データを参照して所定の解析が行われ、解析結果がパーソナルコンピュータ２５に提供されその表示部３３に表示される（Ｓ５５）。この処理は制御部３０によって行われ、制御部３０は閲覧者アクセス解析手段として機能する。
【０１００】
その後、解析条件入力ページに代わって表示された図示しない画面上の戻るボタンまたは図示しないブラウザの戻るボタンが押下されるまでブライダル情報サーバ２２は待機し、何れかのボタンが押下されると、図１９に示したステップＳ８１に戻り、図２０に示した管理メニューがパーソナルコンピュータ２５に提供されその表示部３３に表示される（Ｓ５６）。
【０１０１】
図２２に示すように、閲覧者ページ処理においては、閲覧者トップページとしての新郎新婦プロフィール画面がパーソナルコンピュータ２６に提供されその表示部３３に表示される。
閲覧者４は、新郎新婦プロフィール画面に表示された新郎新婦の写真、新郎、新婦それぞれのプロフィール、メッセージを見ることができる。
【０１０２】
新郎新婦プロフィール画面にはサムネイル画面等にジャンプするボタンやサムネイル画面等を立ち上げるボタン等が設けられており、サムネイルを、サムネイル画面上において、入力部３２を構成するマウスのポインタでクリックすること等によって選択すると、選択されたサムネイルの拡大画像が別ウィンドウで表示される。
新郎新婦プロフィール画面には閲覧者４の名前、メールアドレス、メッセージを入力する欄と送信ボタンとが設けられており、たとえばメッセージを入力する欄に利用者３に対するお祝いのメッセージ、写真の感想等を入力するなど、それぞれの欄に、入力部３２を構成するキーボード等によって適宜入力を行った後、送信ボタンを押下すると、データベース２９に記録されている利用者３のアドレスに、名前欄に入力した名前、メールアドレス欄に入力したメールアドレスおよびメッセージ欄に入力したメッセージがメールとして送信される。かかるメールの送信は制御部３０によって行われる。よって、制御部３０は閲覧者メール送信手段として機能する。新郎新婦プロフィール画面において入力されたメールアドレスは、記憶部２８に一旦記録されたのち、契約者２、利用者３および閲覧者４と関連付けられた状態でデータベース２９に記録される。契約者２、利用者３、閲覧者４が複数ある場合には、それぞれの契約者２、利用者３、閲覧者４ごとにメールアドレスが記録される。
【０１０３】
このメールは、記憶部２８やデータベース２９に記録され、利用者３がウェブ上で、閲覧者設定画面上などで閲覧するようにしてもよい。また、記憶部２８やデータベース２９に記録する場合、ブライダル情報として公開しても良く、結婚式前からの公開を行えば結婚式に向けてムードを盛り上げることができるとともに、結婚式後の公開では結婚式参加者の感想等で余韻を楽しむことができる。また、記憶部２８やデータベース２９に記録する場合、記録された内容を契約者２が閲覧することができ、削除することができるようにすれば、不適切な内容のメールが利用者３に送信されたり公開されたりすることを防止でき、利用者３等が不愉快な思いをすることを未然に防ぐことができる。
【０１０４】
以上のような処理を行うブライダル情報サービスシステム１００において、結婚式の日は公開開始日、閲覧開始日以降であって良く、ブライダル情報たとえば結婚する二人の生い立ち、プロフィール等を結婚式の日より前に紹介し、閲覧者４に事前に知らせておくこともできる。閲覧者４に送信するメール、図５、２２、２３に示した画面等において、結婚式場の場所、時間等の案内を表示し、またそのような表示を行うサイトへのリンクを表示しておくことで、結婚式への招待を、事前に確実に行うことができる。また、事前に、閲覧者４が新郎や新婦の写真、プロフィールを閲覧することができるため、新郎、新婦の何れか一方しか知らない招待客等の閲覧者４に、新郎、新婦の紹介を事前に行うことができ、閲覧者４に喜ばれる。さらに、遠方に住んでいて結婚式に参加できない閲覧者４にとっても、結婚式前後の情報が得られ、喜ばれる。
【０１０５】
利用者３にとっては、公開するブライダル情報の内容すなわちブライダル情報を表示するページのデザイン、テキスト、紹介する写真などを全て利用者３によって選ぶことができ、ホームページを開設できるため、利用者３の満足度の高いサービスの提供が可能となっている。また、かかる内容について、紹介する写真は契約者２がアップロードしたもののみから選ぶことができるようになっていることなど、契約者２による管理が可能であるため、不適切な情報を公開することが防止される。ただし、利用者３が自分で撮影した写真など、契約者２がアップロードしたもの以外の写真を公開できるようにしてもよい。
【０１０６】
契約者２にとっては、公開されるブライダル情報の内容が利用者３の好みに応じて充実され、ビューが向上すること、ブライダルサービスの差別化を図ることができる。また、結婚式の終了後も、利用者３や閲覧者４との継続的な関係を続けることで、種々の利点がある。すなわち、利用者３については、結婚記念日に利用者３にお祝いのメールを利用者３に送信することで、契約者２の宣伝、広告等を行うことができる。たとえば、お祝いのメッセージに併せて、契約者２がホテルやレストラン等のサービスを行う業者である場合には宿泊や食事、プレゼント等の特典を送付することで、利用者３がさらに契約者２を利用するように促すことができる。また、利用者３に子供が誕生した場合などに、誕生日を記憶部２８やデータベース２９に登録することができるように構成し、同様の特典を送付し、利用者３の利用をさらに促すことができる。これらメールの送付、利用の記録、誕生日の記録を記憶部２８やデータベース２９に登録することで利用者３に関するデータベースが拡充され、契約者２、利用者３の双方にとって上述した利点がある。このような場合、データベース２９に利用者３と関連付けてその結婚した月日、子供の誕生日等を登録しておき、かかるメールを自動的に発送するようにすることができる。
【０１０７】
かかるメールによって契約者２から利用者３に送られる、宿泊や食事、プレゼント等の特典等に関する所定の情報は、契約者２によって記憶部２８やデータベース２９に記録される。よって、記憶部２８やデータベース２９は、送信情報記録手段として機能する。かかる誕生日などの所定時期は利用者認証情報と関連付けられて、利用者３によって記憶部２８やデータベース２９に記録され登録される。よって、記憶部２８やデータベース２９は時期記録手段として機能する。また、制御部３０は、かかる所定の情報を、かかる所定時期に基づいて、利用者３に対して、利用者メールアドレス記録手段として機能する記憶部２８やデータベース２９から呼び出した利用者メールアドレスに、メールによって送信する所定情報メール送信手段として機能する。
【０１０８】
また、閲覧者４についても、利用者３にメールを送付した閲覧者４のメールアドレス等を記憶部２８やデータベース２９に登録することで閲覧者４に関するデータベースを拡充し、これにより、契約者２の宣伝、広告を行うことができる。すなわち利用者３の友人等は、結婚予備軍であり、そのような閲覧者４に対しブライダルフェア等の案内をメールで送信することや、これに併せて結婚式の割引の特典などを送付することで、高い確率で集客することができる。この場合、同様に所定の情報は、記憶部２８やデータベース２９に記録され、記憶部２８やデータベース２９は、送信情報記録手段として機能する。制御部３０は、かかる所定の情報を、閲覧者４に対して、閲覧者メールアドレス記録手段として機能する記憶部２８やデータベース２９から呼び出した閲覧者メールアドレスに、メールによって送信する所定情報メール送信手段として機能する。
【０１０９】
そして、ブライダル情報サービスシステム１００においては、以上の処理が、管理者１にとっても、契約者２にとっても、利用者３にとっても、閲覧者４にとっても、上述した簡単な操作によって得られる。かかる操作は、上述したようにウェブブラウザ上で全て行うことができる。
【０１１０】
以上説明した本形態のブライダル情報サービスシステム１００によると、以下の各構成を備えるブライダル情報サービスシステムが実現される。
ネットワーク（インターネット網１０）上に公開するブライダル情報を記録するブライダル情報記録手段（記憶部２８および／またはデータベース２９）を有するサーバ（ブライダル情報サーバ２２）を備え、ネットワークに接続した端末（パーソナルコンピュータ２４、２５、２６）に前記ブライダル情報を送信するブライダル情報サービスシステムであって、前記サーバは、このブライダル情報サービスシステムの管理者によって発行された複数の第１の認証情報を記録する第１の認証情報記録手段（記憶部２８および／またはデータベース２９）と、ネットワークを介して第１の認証情報を送信してきた端末からの操作に応じて、この第１の認証情報と関連付けられて発行された第２の認証情報を記録する第２の認証情報記録手段（記憶部２８および／またはデータベース２９）とを有し、ネットワークを介して第２の認証情報を送信してきた端末からの操作に応じて、前記ブライダル情報を前記ブライダル情報記録手段に記録するブライダル情報サービスシステム。
【０１１１】
第１の認証情報に関連付けられて発行された第２の認証情報を第２の認証情報記録手段から取り出して、前記第１の認証情報ごとに課金する情報を生成する課金情報生成手段（制御部３０）を有するブライダル情報サービスシステム。
【０１１２】
第１の認証情報に関連付けられた期限を記録する期限記録手段（記憶部２８および／またはデータベース２９）と、前記期限に基づいて、この期限に関連付けられた第１の認証情報およびこの第２の認証情報に関連付けられた第２の認証情報を無効とする認証情報無効手段（制御部３０）とを有するブライダル情報サービスシステム。
【０１１３】
ネットワークを介して第２の認証情報を送信してきた端末からの操作に応じて、この第２の認証情報と関連付けられて発行された第３の認証情報を記録する第３の認証情報記録手段（記憶部２８および／またはデータベース２９）を有し、ネットワークを介して第３の認証情報を送信してきた端末からの操作に応じてこの端末に前記ブライダル情報を送信するブライダル情報サービスシステム。
【０１１４】
ネットワークを介して第２の認証情報を送信してきた端末からの操作に応じて前記ブライダル情報記録手段に記録される前記ブライダル情報に写真データ（サムネイル用データ、拡大写真用データ）を含むブライダル情報サービスシステム。
【０１１５】
第２の認証情報に関連付けられたメールアドレスを記録するメールアドレス記録手段と、前記メールアドレスに送信される所定の情報を記録する送信情報記録手段（記憶部２８および／またはデータベース２９）と、ネットワークを介して第２の認証情報を送信してきた端末からの操作に応じて、この端末から送信された所定時期をこの第２の認証情報に関連付けて記録する時期記録手段（記憶部２８および／またはデータベース２９）と、前記所定時期に基づいて前記所定の情報を前記メールアドレスに送信するメール送信手段（制御部３０）とを有するブライダル情報サービスシステム。
【０１１６】
本発明にかかるブライダル情報サービスシステムを構成する、サーバ、ブライダル情報記録手段、第１ないし第３の認証情報記録手段、課金情報生成手段、期限記録手段、認証情報無効手段、メールアドレス記録手段、送信情報記録手段、時期記録手段、メール送信手段などの構成、ブライダル情報、各認証情報、利用者へのメールの内容については前述した形態の各要素に限らず任意に変更可能である。
本発明の実施の形態に記載された効果は、本発明から生じる最も好適な効果を列挙したに過ぎず、本発明による効果は、本発明の実施の形態に記載されたものに限定されるものではない。
【図面の簡単な説明】
【０１１７】
【図１】本発明にかかるブライダル情報サービスシステムを適用可能なネットワークシステムの構成図である。
【図２】本発明にかかるブライダル情報サービスシステムを使用する者の関係を示す概念図である。
【図３】図１に示した運営者サイドに備えられたサーバの構成の概略を示すブロック図である。
【図４】図１に示した契約者、利用者、閲覧者の各サイドにおいて用いられる端末の構成の概略を示すブロック図である。
【図５】各認証情報を入力して本発明にかかるブライダル情報サービスシステムにアクセスするためのサイトの表示例を示す図である。
【図６】本発明にかかるブライダル情報サービスシステムのメインフローチャートの例を示す図である。
【図７】図６に示した管理者用ページ処理のフローチャートの例を示す図である。
【図８】図７に示した管理者トップページの表示例を示す図である。
【図９】図７に示したＩＤ発行ページ処理のフローチャートの例を示す図である。
【図１０】図９に示したＩＤ発行ページの表示例を示す図である。
【図１１】図７に示した契約者一覧ページ処理のフローチャートの例を示す図である。
【図１２】図１１に示した契約者一覧ページの表示例を示す図である。
【図１３】図７に示したアクセス解析ページ処理のフローチャートの例を示す図である。
【図１４】図６に示した契約者用ページ処理のフローチャートの例を示す図である。
【図１５】図１４に示した契約者トップページの表示例を示す図である。
【図１６】図９に示したＩＤ発行ページの表示例を示す図である。
【図１７】図１４に示した利用者一覧ページ処理のフローチャートの例を示す図である。
【図１８】図１７に示した利用者一覧ページの表示例を示す図である。
【図１９】図６に示した利用者用ページ処理のフローチャートの例を示す図である。
【図２０】図１９に示した利用者トップページの表示例を示す図である。
【図２１】本発明にかかるブライダル情報サービスシステムにおいて公開するブライダル情報の入力を行う設定画面の表示例を示す図である。
【図２２】図２１に示した設定画面において入力したブライダル情報を、本発明にかかるブライダル情報サービスシステムにおいて表示する表示例を示す図である。
【図２３】図２１に示した設定画面において入力したブライダル情報を、本発明にかかるブライダル情報サービスシステムにおいて別に表示する表示例を示す図である。
【図２４】図６に示した閲覧者用ページ処理のフローチャートの例を示す図である。
【図２５】図２４に示した利用者一覧ページの表示例を示す図である。
【図２６】各認証情報を入力して本発明にかかるブライダル情報サービスシステムにアクセスするためのサイトの他の表示例を示す図である。
【符号の説明】
【０１１８】
１    管理者
２２    サーバ
２４    端末
２５    端末
２６    端末
２８    第１の認証情報記録手段、第２の認証情報記録手段、第３の認証情報記録手段、期限記録手段、メールアドレス記録手段、送信情報記録手段、時期記録手段
２９    ブライダル情報記録手段、第１の認証情報記録手段、第２の認証情報記録手段、第３の認証情報記録手段、期限記録手段、メールアドレス記録手段、送信情報記録手段、時期記録手段
３０    課金情報生成手段、認証情報無効手段、メール送信手段
１００    ブライダル情報サービスシステム
【図１】
2006236276.tif 000003
【図２】
2006236276.tif 000004
【図３】
2006236276.tif 000005
【図４】
2006236276.tif 000006
【図５】
2006236276.tif 000007
【図６】
2006236276.tif 000008
【図７】
2006236276.tif 000009
【図８】
2006236276.tif 000010
【図９】
2006236276.tif 000011
【図１０】
2006236276.tif 000012
【図１１】
2006236276.tif 000013
【図１２】
2006236276.tif 000014
【図１３】
2006236276.tif 000015
【図１４】
2006236276.tif 000016
【図１５】
2006236276.tif 000017
【図１６】
2006236276.tif 000018
【図１７】
2006236276.tif 000019
【図１８】
2006236276.tif 000020
【図１９】
2006236276.tif 000021
【図２０】
2006236276.tif 000022
【図２１】
2006236276.tif 000023
【図２２】
2006236276.tif 000024
【図２３】
2006236276.tif 000025
【図２４】
2006236276.tif 000026
【図２５】
2006236276.tif 000027
【図２６】
2006236276.tif 000028